(57)【特許請求の範囲】
【請求項１】
編成シリンダーの外周の複数の縦溝に、少なくとも１個のバットを突出した選針ジャックが、当該ジャックに当接する編成針を上下動させるように揺動自在に複数かん装されている編機のための選針装置であって、
該選針装置が、編機の選針ジャックに選択的に係合して選針ジャックを揺動するモジュールフインガと、該モジュールフインガを所定の編成手順に基づいて回動させる駆動部材とを含んでおり、
前記モジュールフインガが、
先端部にバット当接面を有するバット当接部と、該バット当接部より延びる支持部と、前記支持部より前記回動の回動軸方向に延びる挿入突出部とを有するフインガ部材と、
一方の端部において前記フインガ部材の支持部の一部を装着して該フインガ部材を位置決め可能に形成された凹部を具備した連結部と、他方の端部において前記編機用選針装置の駆動部材に係合するべく形成された係合部と、前記端部間においてモジュールフインガの回動支持点を提供するべく形成された回動支持部と、前記凹部の一部に設けられ、前記回動支持部の回動軸方向に延び、前記フインガ部材の挿入突出部を支持可能な内周面を有した挿入型凹部とを有するフインガ保持部材とを有し、
前記フインガ部材の挿入突出部を前記フインガ保持部材の挿入型凹部に、前記回動支持部の回動軸方向に沿って挿入することにより、前記フインガ部材の前記フインガ保持部材への位置決めと接合が達成されていることを特徴とする編機用選針装置。
【請求項２】
前記回動させる駆動部材が圧電体を備えることを特徴とする請求項１に記載の編機用選針装置。
【請求項３】
編機用選針装置に装着されて回動駆動される選針用モジュールフインガであって、
フインガ部材とフインガ保持部材とを備え、
前記フインガ部材は先端部にバット当接面を有するバット当接部と、該バット当接部より延びる支持部と、前記支持部より前記回動駆動の回動軸方向に延びる挿入突出部とを有し、
前記フインガ保持部材は、一方の端部において前記フインガ部材の支持部の一部を装着して該フインガ部材を位置決め可能に形成された凹部を具備した連結部と、他方の端部において前記編機用選針装置の駆動部材に係合するべく形成された係合部と、前記端部間において選針用モジュールフインガの回動支持点を提供するべく形成された回動支持部と、前記凹部の一部に設けられ、前記回動支持部の回動軸方向に延び、前記フインガ部材の挿入突出部を支持可能な内周面を有した挿入型凹部とを有し、
前記フインガ部材の挿入突出部を前記フインガ保持部材の挿入型凹部に、前記回動支持部の回動軸方向に沿って挿入することにより、前記フインガ部材の前記フインガ保持部材への位置決めと接合が達成されていることを特徴とする選針用モジュールフインガ。
【請求項４】
更に、前記フインガ部材の支持部と前記フインガ保持部材とが接着剤により接合されることを特徴とする請求項３に記載の選針用モジュールフインガ。
【請求項５】
更に、前記フインガ部材の支持部と前記フインガ保持部材とが超音波溶着で接合されることを特徴とする請求項３に記載の選針用モジュールフインガ。
【請求項６】
前記連結部の前記凹部は、前記フインガ部材の支持部の下方の少なくとも一部を収容し、
前記連結部の前記凹部と該凹部に収容された前記フインガ部材の支持部とを貫通する孔を設け、該孔にピン状部材を配置することにより、該フインガ部材と該フインガ保持部材とが接合されることを特徴とする請求項３に記載の選針用モジュールフインガ。
【請求項７】
前記フインガ部材が金属製であることを特徴とする請求項３に記載の選針用モジュールフインガ。
【請求項８】
前記フインガ保持部材が樹脂製であることを特徴とする請求項３に記載の選針用モジュールフインガ。
【請求項９】
編機用選針装置に装着されて回動駆動される選針用モジュールフインガの製造方法であって、
バット当接面を有するバット当接部を先端部に有するとともに、該バット当接部より延びる支持部と、前記支持部より前記回動駆動の回動軸方向に延びる挿入突出部とを有するフインガ部材を製造する工程と、
一方の端部において前記フインガ部材の支持部の一部を装着して該フインガ部材を位置決め可能に形成された凹部を有する連結部と、他方の端部において前記編機用選針装置の駆動部材に係合するべく形成された係合部と、前記端部間において選針用モジュールフインガの回動支持点を提供するべく形成された回動支持部と、前記凹部の一部に設けられ、前記回動支持部の回動軸方向に延び、前記フインガ部材の挿入突出部を支持可能な内周面を有した挿入型凹部とを有するフインガ保持部材を製造する工程と、
前記フインガ部材の前記挿入突出部を前記フインガ保持部材の連結部の前記挿入型凹部に前記回動支持部の回動軸方向に沿って挿入することにより前記フインガ部材と前記フインガ保持部材とを位置決めして接合する工程とを備えることを特徴とする選針用モジュールフインガの製造方法。
【請求項１０】
前記フインガ部材を製造する工程は、複数種類の編成柄パターンに対応して複数種類の金属製のフインガ部材を製造して保存する工程を含んで成り、
前記接合する工程は、編成柄パターンに応じて選出されたフインガ部材と前記フインガ保持部材とを組み合わせて位置決め、接合する工程を含んで成ることを特徴とする請求項９に記載の選針用モジュールフインガの製造方法。
【請求項１１】
前記フインガ保持部材を製造する工程は、選針装置のタイプに応じた複数種類のフインガ保持部材をプラスチックの射出成型で製造して保存する工程を含んで成り、
前記接合する工程は、編成柄パターンに応じて選出されたフインガ部材と、編機のタイプに応じて選出されたフインガ保持部材とを組み合わせて位置決め、接合する工程を含んで成ることを特徴とする請求項９に記載の選針用モジュールフインガの製造方法。
【発明の詳細な説明】
【０００１】
【発明の属する技術分野】
本発明は編機用選針装置に関し、更に詳しくは、複数の部材を組合せることによって構成される選針用フインガとこれを用いた編機用選針装置に関する。
【０００２】
【従来の技術】
丸編機又は横編機の如き編機では、フロッピー（登録商標）ディスク等の記憶装置に記憶された編成手順に基づき編成針の上下動を選択して、所望の編組織の編地を編成する。その編成針の上下動を選択するために各種の選針装置が用いられている。
【０００３】
そこで本発明の選針装置を説明するに先立って、編機における選針作業の概要を図４Ａ〜図４Ｃに略図する丸編機に基づいて以下説明する。
【０００４】
図４Ａは丸編機の基本的な編成機構を説明する略示斜視図である。図４Ａに示すように、丸編機は矢印Ａで示される方向に回転する編成シリンダー１を有する。編成シリンダー１の周面にはその長手軸に沿って設けた複数の縦溝（図示せず）が設けられ、その中に編成針２が摺動可能に配置される。編成針２の下方には、通常、選針ジャック１２が編成針２の下方に当接可能に配置されている。一方編成シリンダー１の下方にはシリンダー状のカム台１５ａが静置して配置され、そのカム台１５ａの上方部には所定の間隔で且つ所定の形状の複数の上げカム１５が配置されている。
【０００５】
編成の基本原理について簡単に説明する。回転する編成シリンダー１上のそれぞれの編成針２が上げカム１５によって選針ジャック１２を介して上方に押上げられると、その結果編成シリンダー１の上面から編成針２が突出する。この突出した編成針２のフックに糸ボビン６から取り出された糸５を供給することによって糸のループが作られる。そして、次に、図示しない公知の機構によって編成針２を下方に下げることによって１個の編目を形成する。したがって編成針２に上下運動を与えるかどうかを選択することによって編目を形成したり、編目を形成させないように次の編工程に進ませるという制御が可能となり、これによって所望の編地を編成することができる。このような作動を編成針に与えるために編機においては通常選針ジャック１２を編成針２の下方と当接するように配置させる。そして、編成手順を記憶した記憶装置を内臓するコントローラ４からの情報に基づいて作動する選針装置３を用いて、選針ジャック１２と上げカム１５との係合を選択的に行うことによって編成針の上下動がコントロールされる。
【０００６】
次に編成針２、選択ジャック１２および選針装置３との関係を示す図４Ｂ及び図４Ｃを参照して、選針手段として圧電体を用いた場合について以下説明する。なお、図４Ｂ及び図４Ｃは選針手段の動作を容易に理解するために略式で示した図である。
【０００７】
圧電体７は電圧の付与方法によって図４Ｂに示すように湾曲させたり、図４Ｃに示すように図４Ｂとは反対に湾曲させたりすることができる。圧電体７の先端にはフインガ９が連携して配置されている。図４Ｂ、図４Ｃにおいて圧電体７とフインガ９及び、上げカム１５は図面の紙面内に位置決めされ、編成針２と選針ジャック１２は編成シリンダー１（図示せず）と共に図面の紙面の上方から下方（あるいはその逆）に円運動を行っている。選針ジャック１２は支点１２ａを中心として揺動可能であり、且つ選針用バット１３（上方）及び上げカム用バット１４（下方）が選針ジャック１２から図示の如く側方に突出して設けられている。
【０００８】
図４Ｂに示すように圧電体７が湾曲している場合には円運動する選針ジャック１２の選針用バット１３とフインガ９とが衝突する。その結果、選針ジャック１２が支点１２ａを中心として時計方向に押し出され、その結果選針ジャック１２の上げカム用バット１４は上げカム１５に係合することができなくなる。したがって上げカム１５によって選針ジャック１２は上方に押上げられることがなく、その結果編成針２が上方に押上げられることはない。
【０００９】
一方、図４Ｃに示すように圧電体７が湾曲されている場合には、圧電体７の先端のフインガ９は、編成シリンダー１と共に円運動する選針ジャック１２の選針用バット１３と衝突しなくなる。そのため、選針ジャック１２は垂直方向の姿勢を保つこととなり、その結果選針ジャック１２の下端の上げカム用バット１４と上げカム１５が係合する。従って、選針ジャック１２が上げカム１５の傾斜面に沿って上方に押上げられ、それに伴って編成針２も上方に押上げられることになる。
【００１０】
なお、図４Ｂ、図４Ｃに参照符号２５で示す部材は、選針装置のフレームの一部で構成されたフインガ回動ストッパであり、部材２５の位置を適切に定めることでフインガ９の選針用バット１３への係合が確実に行なわれて、フインガ９が選針用バット１３との当接を超えて流れるのを防ぐ役割を果たす。
【００１１】
このように選針ジャック１２の選針用バット１３と圧電体７の先端のフインガ９との係合を選択的に行えば編成針２の上方移動を要望に応じて自由に行わせることが可能であり、任意の編組織の編地を編成することができる。
【００１２】
この圧電方式の選針装置３における圧電体７とフインガ９の関係を図５に示す。
【００１３】
図５に示すように、バイモルフ型圧電素子を有する圧電体７にフインガ９を可動可能に配置し、圧電体７に電力を印加してフインガ９を作動させ、このフインガ９の作動により編機の編成針の選針を行い（より詳しくは選針ジャック１２を介して）、所定の編組織を有する編地の編成を可能とする。圧電体７の後端部は、球状体すなわち回転体２０を介して支持体２１またはハウジングの凹部２２に、可動可能に支持される。また、圧電体７の先端部は、回転体１６を介してフインガ９の後端部のＵ字溝１７（以下、スリット１７）内に可動可能に連結される。また、圧電体７の後端部と先端部との間の所定位置を支持体２４またはハウジングに回転可能に付設した回転体２３に挟持させて配置する。
【００１４】
フインガ９は図５に示すように、その中間部９ｂがピン１８によって支持体１０ｂに支承され、それによって圧電体７が湾曲運動する時に、その運動がフインガ９の後端（圧電体係合部分）９ａを上下動させる。その結果、フインガ９はフインガ９の回動支持点となるピン１８を中心として揺動し、支持体１０ａの開口部１１を通って突出するフインガ９の棒状部分９Ｃを揺動させ、結果として先端部９ｄを上下動させる。この先端部９ｄの上下動によって、上述した編成針２の上昇運動の選択がなされる。
【００１５】
図６Ａに従来公知のフインガ９の側面図、図６Ｂに正面図を示す。図６Ａ、Ｂに示すようにフインガ９は先端部のバット当接面９ｄから回動支持点１８ａを有する中央部９ｂに達する棒状の細長部材９ｃと、上記中央部９ｂから他方に延びる圧電体係合部分９ａから構成されており、且つ回動支持点１８ａは棒状の細長部材の長手軸線９Ｘ1上にある。圧電体係合部分９ａには圧電体の湾曲運動端部１６を収容するスリット１７が設けられている。
【００１６】
図６Ａ，Ｂに示すように、従来公知のフインガ９は編成シリンダ側の先端側であるバット当接面９ｄから選針装置側の圧電体係合９ａに至る迄一体の材料から製造されている。
【００１７】
【発明が解決しようとする課題】
しかしながら編機のタイプ、選針装置のタイプ、及びその編機で編成する編地の編組織に対応してフインガの形状及び大きさ等は異なる。このため、編機の選針装置メーカーは莫大な種類のフインガを在庫して対応している。
【００１８】
そこで編成シリンダの選針ジャックに係合するバット当接面を有するフインガの作動上の下流部（以下の説明でフインガ部材と称す）と、選針装置の圧電体係合部を有するフインガの作動上の上流部（以下の説明でフインガ保持部材と称す）とを別箇の製造工程で作り、それぞれ保管しておき、フインガが使用される編機の種類及び目的とする編地の編組織に応じてフインガ保持部材とフインガ部材とを適切に選定し、組合せることにより所定のフインガを構成することが検討されている。このようにすることにより在庫フインガの種類を大幅に削減することができる。
【００１９】
フインガをフインガ保持部材とフインガ部材とを目的に合わせて組合せる構成のフインガ（以下モジュールフインガと称す）が最近知られている。その一例を斜視図で示す図７Ａ，Ｂで以下に説明する。
【００２０】
図７Ａで示すモジュールフインガ３０ａはフインガ部材３１ａとフインガ保持部材４０ａから成り、フインガ部材３１ａは先端部にバット当接面３２ａを有するバット当接部３３ａとそのバット当接部３３ａより棒状に延びる支持部３４ａから成る。一方、フインガ保持部材４０ａは、下方に圧電体係合部４５ａを形成する金属板製のスリット４４ａを有し、その上側に結合用プレート４６が連結されている。
【００２１】
図７Ａで示すモジュールフインガ３０ａのフインガ部材３１ａとフインガ保持部材４０ａの結合はフインガ部材３１ａの支持部３４ａの下方とフインガ保持部材４０ａの上側の結合用プレート４６を手作業で対向配置した上で合成樹脂を用いて行われる。すなわち結合部５１は、合成樹脂によって形成される。
【００２２】
この方法で得られたモジュールフインガ３０ａはバット当接面３２ａと圧電体係合部４５ａとの位置関係の精度が低く高速回転に用いることができない。更に、合成樹脂を用いた複雑な手作業であるのでコストも高くなるという問題点を有する。
【００２３】
図７Ｂに示すモジュールフインガ３０ｂは金属製で実質的に図７Ａに示すフインガ部材３１ａと同一のフインガ部材３１ｂと、合成樹脂製のフインガ保持部材４０ｂとから成る。図７Ｂに示されるモジュールフインガは次のようにして製造される。すなわち、最初にフインガ部材３１ｂを金属材料を用いて精度高く製造して保管しておく。そして、特定のモジュールフインガ３０ｂを製作するに際しては、編地の編組織に適した構造のフインガ部材３１ｂを選定した上で、射出成型機に目的とするフインガ保持部材４０ｂの構造に対応した金型を装着し、上記フインガ部材３１ｂを射出成型機の金型の所定位置に配置した上で合成樹脂を射出する。
【００２４】
上述の方法で得られた図７Ｂに例示したモジュールフインガ３０ｂは、優れた寸法精度を有するが、その製造に際しては高価な射出成型機を熟練作業者によって作動させる必要があり、その結果、得られたモジュールフインガのコスト高を生じていた。
【００２５】
したがってフインガの在庫を減らすことができ、且つ臨機応変に製造可能なモジュールフインガへの要望は高くなってきても事実上普及しにくい状況下にあった。
【００２６】
本発明は従来公知のモジュールフインガの有する課題を解決して多種多様な形状が要求されるフインガを必要に応じて短時間で安価に供給することができる新規なモジュールフインガを供給することを目的とする。
【００２７】
【課題を解決するための手段】
上記の目的を達成するための本発明による編機用選針装置は以下の構成を備える。すなわち、
編成シリンダーの外周の複数の縦溝に、少なくとも１個のバットを突出した選針ジャックが、当該ジャックに当接する編成針を上下動させるように揺動自在に複数かん装されている編機のための選針装置であって、
該選針装置が、編機の選針ジャックに選択的に係合して選針ジャックを揺動するモジュールフインガと、該モジュールフインガを所定の編成手順に基づいて回動させる駆動部材とを含んでおり、
前記モジュールフインガが、
先端部にバット当接面を有するバット当接部と、該バット当接部より延びる支持部と、前記支持部より前記回動の回動軸方向に延びる挿入突出部とを有するフインガ部材と、
一方の端部において前記フインガ部材の支持部の一部を装着して該フインガ部材を位置決め可能に形成された凹部を具備した連結部と、他方の端部において前記編機用選針装置の駆動部材に係合するべく形成された係合部と、前記端部間においてモジュールフインガの回動支持点を提供するべく形成された回動支持部と、前記凹部の一部に設けられ、前記回動支持部の回動軸方向に延び、前記フインガ部材の挿入突出部を支持可能な内周面を有した挿入型凹部とを有するフインガ保持部材とを有し、
前記フインガ部材の挿入突出部を前記フインガ保持部材の挿入型凹部に、前記回動支持部の回動軸方向に沿って挿入することにより、前記フインガ部材の前記フインガ保持部材への位置決めと接合が達成されていることを特徴とする。
【００２８】
また、上記の目的を達成するための本発明による選針用モジュールフインガは以下の構成を備える。すなわち、
編機用選針装置に装着されて回動駆動される選針用モジュールフインガであって、
フインガ部材とフインガ保持部材とを備え、
前記フインガ部材は先端部にバット当接面を有するバット当接部と、該バット当接部より延びる支持部と、前記支持部より前記回動駆動の回動軸方向に延びる挿入突出部とを有し、
前記フインガ保持部材は、一方の端部において前記フインガ部材の支持部の一部を装着して該フインガ部材を位置決め可能に形成された凹部を具備した連結部と、他方の端部において前記編機用選針装置の駆動部材に係合するべく形成された係合部と、前記端部間において選針用モジュールフインガの回動支持点を提供するべく形成された回動支持部と、前記凹部の一部に設けられ、前記回動支持部の回動軸方向に延び、前記フインガ部材の挿入突出部を支持可能な内周面を有した挿入型凹部とを有し、
前記フインガ部材の挿入突出部を前記フインガ保持部材の挿入型凹部に、前記回動支持部の回動軸方向に沿って挿入することにより、前記フインガ部材の前記フインガ保持部材への位置決めと接合が達成されていることを特徴とする。
【００２９】
更に、上記の目的を達成するための本発明による選針用モジュールフインガの製造方法は、
編機用選針装置に装着されて回動駆動される選針用モジュールフインガの製造方法であって、
バット当接面を有するバット当接部を先端部に有するとともに、該バット当接部より延びる支持部と、前記支持部より前記回動駆動の回動軸方向に延びる挿入突出部とを有するフインガ部材を製造する工程と、
一方の端部において前記フインガ部材の支持部の一部を装着して該フインガ部材を位置決め可能に形成された凹部を有する連結部と、他方の端部において編機用選針装置の駆動部材に係合するべく形成された係合部と、前記端部間において選針用モジュールフインガの回動支持点を提供するべく形成された回動支持部と、前記凹部の一部に設けられ、前記回動支持部の回動軸方向に延び、前記フインガ部材の挿入突出部を支持可能な内周面を有した挿入型凹部とを有するフインガ保持部材を製造する工程と、
前記フインガ部材の前記挿入突出部を前記フインガ保持部材の連結部の前記挿入型凹部に前記回動支持部の回動軸方向に沿って挿入することにより前記フインガ部材と前記フインガ保持部材とを位置決めして接合する工程とを備える。
【００３０】
以上の構成を有する本発明の選針用モジュールフインガは、編機の各種の選針装置に用いることができる。
【００３１】
【発明の実施の形態】
本発明の一実施例を示す添付図面を参照して本発明を以下に詳述する。
【００３２】
図１に本実施形態による、編機用の選針装置に用いられるモジュールフインガの一例を斜視図で示す。図１に示すように本実施形態のモジュールフインガ３０はフインガ部材３１とフインガ保持部材４０から成る。
【００３３】
図２Ａ，Ｂはフインガ部材３１の一例を示す図であって、図２Ａは正面図、図２Ｂは側面図である。また、図３Ａ〜Ｃはフインガ保持部材４０の一例を示す図であって図３Ａは正面図、図３Ｂは図３Ａのフインガ部材の側面図、図３Ｃは上面図である。
【００３４】
図１及び図２Ａ，Ｂに示されるように、フインガ部材３１は先端にバット当接面３２を有するバット当接部３３と、バット当接部３３より棒状に延びる支持部３４から成り、支持部３４の下方には図２Ａの例において右側に延びる突出部３５と、左側に延びる挿入突出部３６が設けられている。且つ突出部３５にはフインガ保持部材４０の孔３７ａに対応する孔３７が設けられている。フインガ部材３１は側面図である図２Ｂに示したように均一な厚さを有する平板から作られている。
【００３５】
また、図１及び図３Ａ〜Ｃに示すように、フインガ保持部材４０は、射出成型で作られたプラスチツク製本体４１から成る。フインガ保持部材４０の上方（フインガ部材３１側）には、フインガ部材３１との連結のための連結部４１が形成されており、その反対の下方には圧電体７と係合するための圧電体係合部４５が形成されている。連結部４１には、前述のフインガ部材３１の支持部３４の一部が収容される凹部４２が設けられている。また、凹部４２の左側にはフインガ部材３１の挿入突出部３６が挿入される挿入型凹部４２ａが設けられ、凹部４２の右側上部にはフインガ部材３１の突出部３５が収容されることになる。フインガ部材３１の挿入突出部３６がフインガ保持部材４０の挿入型凹部４２ａにはめ込まれることにより両部材３１、４０の相対的位置決めが達成されることになる。また、このようにして両部材３１、４０が組合された状態におけるフインガ保持部材４０のフインガ部材の孔３７に対応する位置には、孔３７ａが設けられている。
【００３６】
前述の構造を有するフインガ部材３１とフインガ保持部材４０は図１及び図３Ｃで矢印Ｃで示す方向でフインガ部材３１をフインガ保持部材４０の挿入型凹部４２ａに向けて挿入することによって組立てられる。その際フインガ部材３１の挿入突出部３６がフインガ保持部材４０の挿入型凹部４２ａに挿入されることにより両部材の位置決めが達成される。
【００３７】
このように両部材３１、４０が組合されるとフインガ部材３１の孔３７とフインガ保持部材４０の孔３７ａが一直線上に整合されるので、この孔３７、３７ａの中にピン状部材５０を挿入すれば両部材３１、４０は一体に結合されることになる。なおこのピン状部材は両部材３１、４０の位置決めにも役立つ。
【００３８】
図１及び図３Ｂで示すように、連結部４１と圧電体係合部４５の間には回動支持部４３が形成されている。回動支持部４３は、ピン１８（図５参照）が挿入されてモジュールフインガ３０が揺動運動を行う支点部分である。また、圧電体係合部４５は図３Ｂに示すようなスリット４４を有する。このスリット４４は圧電体７のモジュールフインガ３０側の先端１６が圧電体７の揺動運動につれて摺動する空間であり、圧電体係合部４５は圧電体７の先端１６が係合する部分である。なお、これらは図５で説明したように、フインガの構成における従来公知の構造であるので詳細な説明は省略する。
【００３９】
また、図１、図２Ａ，Ｂ及び図３Ａ〜Ｃに示したモジュールフインガの例は、本発明のモジュールフインガの一例を示したのに過ぎず、各種の変更態様を行うことができる。例えば図１に示したモジュールフインガ３０においてピン状部材５０を用いずにフインガ部材３１とフインガ保持部材４０とを接着剤又は超音波溶着で一体に接合してもよい。この場合の両部材の位置決めはフインガ作動部材３１の挿入突出部３６をフインガ保持部材４０の挿入型凹部４２ａに挿入することによって達成される。
【００４０】
以上のように、フインガ部材３０の支持部３４の下方の少なくとも一部（３５，３６）を収容する凹部４２，挿入型凹部４２ａをフインガ保持部材４０の一端に設け、これら凹部に支持部を挿入して位置決めした状態で支持部３４と連結部４１とを貫通する孔が得られるように、各部材に孔３７，３７ａが設けられている。そして、図１に示す如く、フインガ部材３１とフインガ保持部材４０とを位置決めした状態で、孔３７，３７ａによって得られる貫通孔にピン状部材５０を挿入することによって、フインガ部材３１とフインガ保持部材４０の一体結合を得る。このような構成により、フインガ部材３１のバット当接部３２とフインガ保持部材４０の圧電体係合部４５の位置関係（或は、バット当接部３２とフインガ保持部材４０の回動支持部４３の位置関係）がフインガ保持部材４０の凹部４２，挿入型凹部４２ａにフインガ部材３０の支持部（３５，３６）が挿入されることによって定められる。そして更に、フインガ保持部材４０の連結部４１とフインガ部材３１の突出部３５を貫通する孔（３７ａ、３７）にピン状部材５０を配置することによって、フインガ部材３１とフインガ保持部材４０との位置決めが更に確実になると共に、フインガ部材３１とフインガ保持部材４０との一体結合が達成される。
【００４１】
なお、フインガ保持部材４０の凹部（４２、４２ａ）とフインガ部材３１の支持部（３５、３６）とによる位置決めは、上述した形態に限られるものではなく種々の変形が可能である。要は、フインガ部材のバット当接面とフインガ保持部材の圧電体係合部（或は回動支持部）の相対位置関係を正確に規定するようにフインガ部材の一部とフインガ保持部材の一部とが面対面で接合する箇所を１つ以上設けることで達成される。
【００４２】
以上のフインガモジュールの製造においては、フインガ部材３１を多様な編地の編組織に対応して、各種類毎に複数製造してストックしておく。また、フインガ保持部材４０についても、フインガモジュールの組み込み先となる選針装置の仕様に応じて、複数種類を製造してストックしておく。そして、目的とする編組織に従ってフインガ部材を選択し、組み込み先の選針装置に応じてフインガ保持部材を選択し、選択されたフインガ部材とフインガ保持部材とを、図１、図２Ａ，Ｂ、図３Ａ〜Ｃで説明したように組み合わせ、接合、一体化することにより多様なフインガモジュールを提供することができる。
【００４３】
なお、フインガ部材の先端のバット当接面は編成シリンダの回転に伴い多数の選針ジャックのバットとに高速度で間欠的に接触する。したがってフインガ部材は耐衝撃性及び耐摩耗性の良好な金属で製造されていると好ましい。
【００４４】
また、フインガ保持部材はその圧電体係合部で圧電体の一端と係合して、圧電体の揺動運動を受け取る。その時のフインガ保持部材と圧電体との係合は常時接触であるので形状については高精度が要求されるが、フインガ部材の如く高い耐衝撃性や耐摩耗性を要求されるものではなく、したがつて加工性が良く相対的に安価な、プラスチック等の樹脂材料を用いると好ましい。
【００４５】
【発明の効果】
以上説明したように、本発明によるモジュールフインガは製造上及び作動上で要求される性能の異なるフインガ部材とフインガ保持部材を別箇の材料で製作して組合せるように構成してある。その結果、多種多様のフインガを比較的少ない種類のフインガ部材とフインガ保持部材との組合せで構成できる。また、簡易で確実な一体結合方法を採用しているので、高品質のフインガの新しい需要に速やか且つ相対的に安価に対応することができる。
【図面の簡単な説明】
【図１】  図１は、本発明の実施形態による編機用選針装置に用いられるモジュールフインガの一例を示す斜視図である。
【図２Ａ】  図２Ａは、図１に示すモジュールフインガのフインガ部材３１の一例を示す正面図である。
【図２Ｂ】  図２Ｂは、図２Ａに示すモジュールフインガのフインガ部材３１の側面図である。
【図３Ａ】  図３Ａは、図１に示すモジュールフインガのフインガ保持部材４０の一例を示す正面図である。
【図３Ｂ】  図３Ｂは、図３Ａに示すフインガ保持部材４０の側面図である。
【図３Ｃ】  図３Ｃは、図３Ａに示すフインガ保持部材４０の上面図である。
【図４Ａ】  図４Ａは、編機の編成機能を説明するための、編機全体の概略斜視図である。
【図４Ｂ】  図４Ｂは、編機の編成機能を説明する図であって、選針装置のフインガが選針ジャックの選針パッドに係合する状態を示す図である。
【図４Ｃ】  図４Ｃは、編機の編成機能を説明する図であって、選針装置のフインガが選針ジャックの選針パッドに係合しない状態を示す図である。
【図５】  図５は、編機の選針装置における圧電体とフインガとの作動関係を示す側断面図である。
【図６Ａ】  図６Ａは、従来公知のフインガの一例を示す側面図である。
【図６Ｂ】  図６Ｂは、図６Ａのフインガの正面図である。
【図７Ａ】  図７Ａは、フインガ部材とフインガ保持部材の２部材を組合せて構成するモジュールフインガの従来例を示めす図であって、２部材を樹脂で結合した例を示す図である。
【図７Ｂ】  図７Ｂは、フインガ部材とフインガ保持部材の２部材を組合せて構成するモジュールフインガの従来例を示めす図であって、金属製フインガ部材を射出成型機を用いて樹脂製フインガ保持部材に埋め込んで得る例を示す図である。
【図１】
0003950057.tif 000002
【図２Ａ】
0003950057.tif 000003
【図２Ｂ】
0003950057.tif 000004
【図３Ａ】
0003950057.tif 000005
【図３Ｂ】
0003950057.tif 000006
【図３Ｃ】
0003950057.tif 000007
【図４Ａ】
0003950057.tif 000008
【図４Ｂ】
0003950057.tif 000009
【図４Ｃ】
0003950057.tif 000010
【図５】
0003950057.tif 000011
【図６Ａ】
0003950057.tif 000012
【図６Ｂ】
0003950057.tif 000013
【図７Ａ】
0003950057.tif 000014
【図７Ｂ】
0003950057.tif 000015